(57)【特許請求の範囲】
【請求項１】
蛇口本体と管接手を備える取り付け簡単な蛇口構造において、前記蛇口本体と前記管接手とを連通させるための接続管を更に備え、
前記蛇口本体は第１の雌螺子が設けられる接続端を有し、前記管接手は内に第２の雌螺子が設けられる接手端を有し、前記接続管の両端にそれぞれ、前記第１の雌螺子に接続される第１の雄螺子と、前記第２の雌螺子に接続される第２の雄螺子とが設けられ、
前記管接手の接手端内に前記蛇口本体の取り付けを補助するための補助部材が設けられ、前記補助部材は前記第２の雌螺子に組み合わせた第３の雄螺子を有し、前記補助部材が前記接続管の下に位置し、その底部に前記補助部材を回転するように連動させる補助ツールが挿入されるための挿通孔が設けられ、前記補助部材によって前記接続管の前記管接手に対するねじ込み量が限定されることを特徴とする取り付け簡単な蛇口構造。
【請求項２】
前記接続管は直円筒状であり、前記第１の雄螺子のピッチと前記第２の雄螺子のピッチとは異なり、前記第２の雌螺子と前記接手端の口との間に間隔を有することを特徴とする請求項１に記載の取り付け簡単な蛇口構造。
【請求項３】
前記接続管は大端部と小端部を有し、前記第１の雄螺子が前記大端部に設けられ、前記第２の雄螺子が前記小端部に設けられ、又は、前記第１の雄螺子が前記小端部に設けられ、前記第２の雄螺子が前記大端部に設けられることを特徴とする請求項１に記載の取り付け簡単な蛇口構造。
【請求項４】
前記蛇口本体の中に互いに独立した熱水流路及び冷水流路を有し、前記管接手の中に互いに独立した第１のチャンバーと第２のチャンバーを有し、前記第１のチャンバーが前記熱水流路に対応して設けられ、前記第２のチャンバーが前記冷水流路に対応して設けられることを特徴とする請求項１〜３の何れか１項に記載の取り付け簡単な蛇口構造。
【請求項５】
前記第２のチャンバーは、下から上まで拡口状となり、その上端の開口が円状であり、前記冷水流路は、上から下まで拡口状となり、その下端の開口が円状であり、前記第２のチャンバーの上端の開口に当接することを特徴とする請求項４に記載の取り付け簡単な蛇口構造。
【請求項６】
前記蛇口本体の接続端の端面が前記管接手の接手端の端面と当接し、前記管接手の接手端の端面に封止環状溝が設けられ、前記封止環状溝内に封止リングが充填されることを特徴とする請求項１〜５の何れか１項に記載の取り付け簡単な蛇口構造。
【請求項７】
前記接続管内にフィルターが設けられることを特徴とする請求項１〜５の何れか１項に記載の取り付け簡単な蛇口構造。
【発明の詳細な説明】
【技術分野】
【０００１】
本発明は蛇口の技術分野に関し、より具体的には、取り付け簡単な蛇口構造に関する。
【背景技術】
【０００２】
蛇口は、日常生活でよく見られる出水部材であり、管接手を介して給水管に接続されることで、給水管における水流が蛇口から流れ出すように制御されて使用される。又は、蛇口が閉められると、水流は流れ出さないようになる。蛇口は、例えば、洗面器、台所等の、家庭及び各種の他の場所に適用されている。
【０００３】
図１に示すように、管接手１’の一端部に雌螺子１１’を有し、蛇口２’の端部に雄螺子２１’が設けられており、雄螺子２１’と雌螺子１１’とを接続させることで、蛇口２’と管接手１’との接続が達成される。
【０００４】
従来技術において、蛇口と給水管との接続構造１は、着脱過程の中で下記の欠陥がある。
【０００５】
１）、着脱が面倒であり、操作が複雑である。現在、蛇口２’と管接手１’を取り付ける空間があまり大きくないので、着脱過程の中でも専門者により専門的なツールを利用する必要があり、操作空間があまり大きくないので、操作が面倒で複雑である問題がある。例えば、洗面ボール類の構造では、洗面ボールの下でブレードホース操作を行う必要がある。壁掛け式の冷熱両用蛇口に用いられる場合、２つの曲管によって接続する必要があり、２つの曲管の距離に一定の制限があるので、洗面ボール類の取り付けよりも難しくなる。
【０００６】
２）、蛇口２’を取り付ける場合、まず雄螺子２１’の表面を防水用粘着テープで包む。防水用粘着テープが薄すぎると漏水してしまう一方、防水用粘着テープが厚すぎると雌螺子１１’内にねじ込んで取り付けにくくなり、また、防水用粘着テープが露出すると美しくない。
【０００７】
３）、ブレードホースの使用寿命に制限がある。例えば、冷熱両用蛇口内でブレードホースを取り替える場合、完成した蛇口本体を解体する必要があり、最初に取り付ける場合よりも時間や工夫をかかる。
【０００８】
４）、蛇口２’を取り付ける場合、下記の問題もよくある。蛇口２’が管接手１’に接続されてからロッキングされた後で、常に蛇口２’の出水口を真下に向かう位置にすることが困難であり、歪みの現象があり、何とか出水口を真下に向かう位置にするために複数回調整する必要があり、操作が非常に複雑である。
【０００９】
５）、壁内における管接手については、スパナのようなツールによって管接手１’をロッキングする力が過大になると、給水管が壁内で折れる可能性がある。不適当に力を出し、又はツールが良くない場合、蛇口２’の表面を損傷することもある。
【発明の概要】
【発明が解決しようとする課題】
【００１０】
本発明は、取り付け簡単な蛇口構造を提供することを目的とし、従来技術の蛇口を取り付けにくく、取り付けコストが高く、複数回調整しなければならないという問題を解決することを旨とする。
【課題を解決するための手段】
【００１１】
上述した技術的問題を解決するために、本発明の技術的解決手段は、蛇口本体と管接手を備える取り付け簡単な蛇口構造において、前記蛇口本体と前記管接手とを連通させるための接続管を更に備える取り付け簡単な蛇口構造を提供する。
【００１２】
前記蛇口本体は第１の雌螺子が設けられる接続端を有し、前記管接手は内に第２の雌螺子が設けられる接手端を有し、前記接続管の両端にそれぞれ、前記第１の雌螺子に接続される第１の雄螺子と、前記第２の雌螺子に接続される第２の雄螺子とが設けられるようにしても良い。
【００１３】
前記接続管は直円筒状であり、前記第１の雄螺子のピッチと前記第２の雄螺子のピッチとは異なり、前記第２の雌螺子と前記接手端の口との間に間隔を有するようにしても良い。
【００１４】
前記接続管は大端部と小端部を有し、前記第１の雄螺子が前記大端部に設けられ、前記第２の雄螺子が前記小端部に設けられ、又は、前記第１の雄螺子が前記小端部に設けられ、前記第２の雄螺子が前記大端部に設けられるようにしても良い。
【００１５】
前記蛇口本体は第４の雄螺子が設けられる接続端を有し、前記接続管は、一方端に前記第４の雄螺子に接続される第３の雌螺子が設けられ、他方端に内へ環状ストリップが凸設され、前記管接手の外周の円周方向に環状階段が設けられ、前記環状ストリップが前記環状階段に係止されるようにしても良い。
【００１６】
前記蛇口本体の中に互いに独立した熱水流路及び冷水流路を有し、前記管接手の中に互いに独立した第１のチャンバーと第２のチャンバーを有し、前記第１のチャンバーが前記熱水流路に対応して設けられ、前記第２のチャンバーが前記冷水流路に対応して設けられるようにしても良い。
【００１７】
前記第２のチャンバーは、下から上まで拡口状となり、その上端の開口が円状であり、前記冷水流路は、上から下まで拡口状となり、その下端の開口が円状であり、前記第２のチャンバーの上端の開口に当接するようにしても良い。
【００１８】
前記蛇口本体の接続端の端面が前記管接手の接手端の端面と当接し、前記管接手の接手端の端面に封止環状溝が設けられ、前記封止環状溝内に封止リングが充填されるようにしても良い。
【００１９】
前記接続管内にフィルターが設けられるようにしても良い。
【００２０】
前記管接手の接手端内に前記蛇口本体の取り付けを補助するための補助部材が設けられ、前記補助部材は前記第２の雌螺子に組み合わせた第３の雄螺子を有し、前記補助部材が前記接続管の下に位置し、その底部に前記補助部材を回転するように連動させる補助ツールが挿入されるための挿通孔が設けられるようにしても良い。
【発明の効果】
【００２１】
本発明における蛇口構造によれば、蛇口本体と管接手との間に接続管が設けられており、蛇口構造を着脱する場合、専門者により専門的なツールを使用する必要がなく、コストが低く、操作しやすく、簡便である。洗面器に適用される場合、ブレードホースによって接続する必要はない。壁掛け式の冷熱両用シャワー蛇口に適用される場合、曲管によって接続する必要はないとともに、蛇口を取り替える過程中、管接手と接続管を取り替える必要もなく、複数回使用することができる。蛇口を取り外す場合に直接蛇口本体を回せばよく、蛇口を取り付ける場合に、蛇口の出水口の方向が正しく配置されるようになるまで、直接接続管を回すように調節する。
【図面の簡単な説明】
【００２２】
【図１】従来技術に係る蛇口構造を示す分解模式図である。
【図２】本発明の実施例１に係る取り付け簡単な蛇口構造を切断した分解模式図である。
【図３】本発明の実施例１に係る補助部材の構造模式図である。
【図４】本発明の実施例１に係る補助部材の下面図である。
【図５】本発明の実施例１における分配器の上面図である。
【図６】本発明の実施例１における分配器の断面図である。
【図７】本発明の実施例２に係る取り付け簡単な蛇口構造を切断した分解模式図である。
【図８】本発明の実施例３に係る取り付け簡単な蛇口構造を切断した分解模式図である。
【図９】本発明の実施例４に係る取り付け簡単な蛇口構造を切断した模式図である。
【図１０】本発明の実施例５に係る取り付け簡単な蛇口構造を切断した模式図である。
【図１１】本発明の実施例６に係る取り付け簡単な蛇口構造を切断した模式図である。
【図１２】本発明の実施例７に係る取り付け簡単な蛇口構造を切断した模式図である。
【発明を実施するための形態】
【００２３】
本発明の目的、技術的解決手段及び利点をより明らかにするために、以下、図面及び実施例に合わせて本発明をより詳細に説明する。ここで説明される具体的な実施例は本発明を解釈するためのものに過ぎず、本発明を限定するためのものではないことを理解すべきである。
【００２４】
説明すべきなのは、素子が別の素子「に固定される」又は「に設けられる」と呼ばれる場合、別の素子に直接に位置されてもよいし、その同時に中間素子が存在してもよい。ある素子が別の素子「に接続される」と呼ばれる場合、別の部材に直接に接続されてもよいし、その同時に中間素子が存在してもよい。
【００２５】
更に説明すべきなのは、本実施例における「左」、「右」「上」、「下」等の方位用語は、単に互いに相対的な概念であり、又は製品の正常な使用状態を参照とするものであるが、制限的なものとされない。
【００２６】
本発明における蛇口構造によれば、蛇口本体と管接手との間に接続管が設けられ、蛇口構造を着脱する場合、専門者により専門的なツールを使用する必要がなく、コストが低く、操作しやすく、簡便である。洗面器に適用される場合、ブレードホースによって接続する必要はないとともに、蛇口を取り替える過程中、管接手と接続管を取り替える必要もなく、複数回使用することができる。蛇口を取り外す場合に直接蛇口本体を回せばよく、蛇口を取り付ける場合に、蛇口の出水口の方向が正しく配置されるようになるまで、直接接続管を回すように調節する。
【００２７】
以下、添付図面に合わせて本発明の実施例の具体的な達成について更に詳しく説明する。
【００２８】
実施例１
【００２９】
図２を参照すると、実施例１の提供する蛇口構造は、蛇口本体１０と管接手２０を備える蛇口構造において、蛇口本体１０と管接手２０とを連通させるための接続管３０を更に備えるものである。蛇口本体１０は、出水端１１と、第１の雌螺子１３が設けられる接続端１２と、を有する。管接手２０は、内に第２の雌螺子２２が設けられる接手端２１を有する。接続管３０の両端にそれぞれ、第１の雌螺子１３に接続される第１の雄螺子３１と、第２の雌螺子２２に接続される第２の雄螺子３２とが設けられる。このように、２組の螺子の組み合わせによって、接続管３０を介して蛇口本体１０と管接手２０とを接続させる。
【００３０】
本実施例において、接続管３０は、両端の大きさが同一である直円筒状である。しかし、管接手２０が既に固定された場合にも、蛇口本体１０が３６０°でより良好に方向を選択するために、第１の雄螺子３１のピッチと第２の雄螺子３２のピッチとは異なる。図２から、第１の雄螺子３１のピッチが第２の雄螺子３２のピッチよりも大きいことが見られる。もちろん、第１の雄螺子３１のピッチが第２の雄螺子３２のピッチより小さくてもよい。
【００３１】
図２から、本実施例において、第２の雌螺子２２と接手端２１の口との間に間隔２３を有することが見られる。つまり、この間隔２３に螺子が設けられていない。蛇口本体１０が接続管３０を介して管接手２０に接続される場合、蛇口本体１０の回転角度が一定ではなく、こうして、接続管３０の第２の雄螺子３２と管接手２０内の第２の雌螺子２２との組み合わせの深さも同一ではない。第２の雄螺子３２が第２の雌螺子２２に完全にねじ込まれると、接続管３０の第１の雄螺子３１の一部が管接手２０内に位置することもある。ここで螺子を設けられていない間隔２３は、第１の雄螺子３１を伸ばさせるためのものである。
【００３２】
本実施例において、蛇口本体１０が接続管３０を介して管接手２０に接続されると、蛇口本体１０の接続端１２の端面が管接手２０の接手端２１の端面に当接し、管接手２０の接手端２１の端面に封止環状溝が設けられ、封止環状溝内に封止リング２４が充填される。封止リング２４を設けることで、蛇口本体１０と管接手２０との封止レベルを向上させ、通水後の当接表面の漏水現象を防止する。
【００３３】
好ましくは、本実施例において、接続管３０内にフィルター３３が設けられる。フィルター３３は、水における不純物、異物を濾過し、水の清潔度を向上させると共に、蛇口本体１０内のバルブの使用寿命を長くすることができる。
【００３４】
好ましくは、本実施例において、管接手２０の接手端２１内に、蛇口本体１０の取り付けを補助するための補助部材２５が設けられる。補助部材２５は、第２の雌螺子２２と組み合わせる第３の雄螺子２５１を有し、接続管３０の下に位置する。図３、図４に合わせると、補助部材２５は、中空のスリーブ状であり、外面に第３の雄螺子２５１が設けられ、その底部の中心に固定ブロック２５２が設けられる。固定ブロック２５２に、補助部材２５を連動させる補助ツールが挿入されるための挿通孔２５３が設けられる。本実施例において、補助ツールは、専門ツールである必要がなく、挿通孔２５３内に挿入可能な如何なる棒状物品であってもよい。例えば、鉛筆、木製の棒、箸等によって、挿通孔２５３の中に挿入されて補助部材２５を回すように連動させて第２の雌螺子２２の中の異なる位置に位置させるようにしてもよい。
【００３５】
蛇口本体１０を最初に取り付け又は取り替える場合、蛇口本体１０の出水端１１は洗面器に向かい合わなければならないが、実際的に取り付ける時、１回だけで蛇口本体１０が所望の位置に取り付けられないことはよくあり、蛇口本体１０の出水端１１が洗面器に向かい合わない状況がよくある。本実施例において、最初に取り付ける又は取り替える前に前もって予備試験を行い、蛇口本体１０の出水端１１の位置を探し出して、蛇口本体１０を洗面器に取り付けるために、補助部材２５が設けられる。前期の予備試験が洗面器において行われないので、操作が便利であり、そして、この予備試験により、洗面器に正式に取り付けられる場合に１回だけで蛇口本体１０を所定の位置に成功に取り付けることが保証される。
【００３６】
本実施例において、取り付ける場合に、更に図５、図６に示すジグである分配器４０を利用する必要がある。分配器４０の中心に、接続管３０の第１の雄螺子３１に組み合わせるねじ孔４１を有する。その同時に、分配器４０の上端面に、その円周に沿って、予備試験の時に位置合わせるための１〜１０の数字標識が設けられる。
【００３７】
分配器４０と補助部材２５によって取り付ける場合、まず、補助部材２５を第２の雌螺子２２の底部にねじ込み、接続管３０、蛇口本体１０を順次に管接手２０に取り付けて、管接手２０の蛇口本体１０上の出水端１１に向かい合う箇所にマークする。その後、蛇口本体１０を取り外して、分配器４０をねじ孔４１と第１の雄螺子３１との組み合わせによって接続管３０に取り付ける。分配器４０が所定の位置に取り付けられると、分配器４０の管接手２０上のマークに向かい合う数字を記録する。その後、分配器４０を緩め、例えば鉛筆のような補助ツールによって挿通孔２５３の中に挿入されて補助部材２５を上へ移動するように連動させ、また分配器４０を締め、分配器４０上のある数字が管接手２０上のマークに向かい合うようになり、つまり使用者の所望の出水端１１の方向になるまで、補助部材２５のねじ込み及び分配器４０の締めを繰り返す。この場合、補助部材２５が所定の位置に到達し、且つ補助部材２５の位置限定作用により、接続管３０における第２の雄螺子３２が第２の雌螺子２２に伸ばした深さが限定される。このように、管接手２０、接続管３０及び蛇口本体１０を本に取り付ける場合、接続管３０が限定されるので、蛇口本体１０のねじ込みも限定され、このように取り付けられた蛇口本体１０の出水端１１が洗面器に向かい合うとなる。
【００３８】
実施例２
【００３９】
図７を参照すると、本発明の実施例２の提供する蛇口構造は実施例１と比べて、接続管３０の構造が異なる点で異なっている。本実施例において、接続管３０は、第１の雄螺子３１が設けられる大端部３４と、第２の雄螺子３２が設けられる小端部３５と、を有する。大端部３４と小端部３５との管径が異なり、区別できるので、第１の雄螺子３１のピッチと第２の雄螺子３２のピッチとは、同一でも異なってもよい。同様に、大端部３４と小端部３５との管径が異なり、大端部３４が第２の雌螺子２２の中に伸ばせないので、管接手２０内で、第２の雌螺子２２と接手端２１の口との間に間隔２３がなく、つまり、第２の雌螺子２２が直接管接手２０内を貫通する。
【００４０】
本実施例における他の構造が実施例１と同じであるので、ここで詳しく説明しない。
【００４１】
実施例３
【００４２】
図８を参照すると、本発明の実施例３の提供する蛇口構造も実施例１と比べて、接続管３０の構造が異なる点で異なっている。本実施例において、接続管３０は、第２の雄螺子３２が設けられる大端部３４と、第１の雄螺子３１が設けられる小端部３５と、を有する。同様に、大端部３４と小端部３５との管径が異なり、区別できるので、第１の雄螺子３１のピッチと第２の雄螺子３２のピッチとは、同一でも異なってもよい。同様に、本実施例において、管接手２０内で、第２の雌螺子２２と接手端２１の口との間に間隔２３がなく、つまり、第２の雌螺子２２が直接管接手２０内を貫通する。
【００４３】
本実施例における他の構造が実施例１と同じであるので、ここでも詳しく説明しない。
【００４４】
実施例４
【００４５】
図９を参照すると、本発明の実施例４の提供する蛇口構造は実施例１と比べて、蛇口本体１０の構造が異なっており、それに対応して、管接手２０の構造も異なっている。本実施例において、蛇口本体１０に、互いに独立した熱水流路１４及び冷水流路１５を有する。管接手２０に、互いに独立した第１のチャンバー２６と第２のチャンバー２７を有する。第１のチャンバー２６が熱水流路１４に対応して設けられ、第２のチャンバー２７が冷水流路１５に対応して設けられる。第２のチャンバー２７は、下から上まで拡口状になり、上端の開口が円状である。同様に、冷水流路１５は、上から下まで拡口状になり、下端の開口が円状であり、第２のチャンバー２７の上端の開口に当接する。
【００４６】
本実施例において、管接手２０における２つのチャンバーがそれぞれ蛇口本体１０内の２つの流路に対応して連通されることで、水管における冷水及び熱水を蛇口本体１０内に流れさせ、そして、ブレードホースによって接続する必要はなく、コストが大いに節約される。また、蛇口本体１０を取り替える場合、専門的なツールを要求せず、直接洗面器の上で操作すればよく、且つ管接手２０と接続管３０を同時に要求せず、管接手２０と接続管３０が複数回使用されてもよい。
【００４７】
図９から、第１のチャンバー２６と第２のチャンバー２７は、何れも直筒段部２８及び直筒段部２８の底部に接続されるように位置する曲角段部２９を含み、第２の雌螺子２２が直筒段部２８の底部まで延出することが見られる。このように、接続管３０が管接手２０で回転調整可能であることが保証される。
【００４８】
本実施例において、管接手２０に２つの封止リング２４が設けられる。この２つの封止リング２４は、それぞれ漏水を避けるために、熱水流路１４と第１のチャンバー２６との当接箇所を封止し、及び冷水流路１５と第２のチャンバー２７との当接箇所を封止することに用いられる。
【００４９】
本実施例において、接続管３０の構造が実施例１と同じであり、蛇口本体１０を最初に取り付ける又は取り替える場合に同様に実施例１に記載の方法を採用し、簡単で、すばやく、ここで詳しく説明しない。
【００５０】
本実施例において、管接手２０における第１のチャンバー２６の下端と第２のチャンバー２７の下端とは並列して設けられる。説明すべきなのは、実際的な取り付けの要求に応じて、管接手２０における第１のチャンバー２６の下端の開口及び第２のチャンバー２７の下端の開口の方向を変えてもよい。例えば、図９に基づいて、第１のチャンバー２６の上端と第１のチャンバー２６の下端とが９０°になり、つまり第１のチャンバー２６が「Ｌ」形になるように、第１のチャンバー２６の下端を左へ回転させて設ける。その同時に、第２のチャンバー２７の上端と第２のチャンバー２７の下端とが９０°になり、つまり第２のチャンバー２７が「Ｌ」になるように、第２のチャンバー２７の下端を右へ回転させて設ける。このように、第１のチャンバー２６の下端の開口と第２のチャンバー２７の下端の開口とは、方向が反対である一方１つの直線にある。このような蛇口構造は、壁掛け式のシャワー蛇口に好適に使用される。
【００５１】
実施例５
【００５２】
図１０を参照すると、本発明の実施例５の提供する蛇口構造は実施例４と比べて、接続管３０の構造が異なっている。本実施例において、接続管３０の構造が実施例２における接続管３０の構造と同一であるので、ここで詳しく説明しない。本実施例における蛇口本体１０の構造が実施例４と同じであるので、ここでも詳しく説明しない。
【００５３】
実施例６
【００５４】
図１１を参照すると、本発明の実施例６の提供する蛇口構造は実施例４と比べて、接続管３０の構造が異なっている。本実施例において、接続管３０の構造が実施例３における接続管３０の構造と同一であるので、ここで詳しく説明しない。本実施例における蛇口本体１０の構造が実施例４と同じであるので、ここでも詳しく説明しない。
【００５５】
実施例７
【００５６】
図１２を参照すると、本発明の実施例７の提供する蛇口構造は上記各実施例と比べて、接続管３０の構造が異なっており、それに対応して、蛇口本体１０及び管接手２０の構造も対応して調整される。接続管３０は、一方端が螺子を介して蛇口本体１０に接続され、他方端が係止構造によって管接手２０に接続される。具体的には、蛇口本体１０は、第４の雄螺子（図示せず）が設けられる接続端１２を有する。接続管３０は、一方端に前記第４の雄螺子に接続される第３の雌螺子（図示せず）が設けられ、他方端に内へ環状ストリップ３６が凸設される。管接手２０の外周の円周方向に環状階段２１１が設けられる。環状ストリップ３６が環状階段２１１に係止される。
【００５７】
本実施例において、管接手２０と蛇口本体１０と当接する端面にも、大きさの異なる２つの封止リング２４が設けられる。２つの封止リング２４の中には、小さい方が第２のチャンバー２７と冷水流路１５を封止することに用いられ、大きい方が管接手２０の外縁に沿って設けられ、第１のチャンバー２６と熱水流路１４を封止すると共に、第２のチャンバー２７及び冷水流路１５に対して２回封止をする。このように、小さい方の封止リング２４が僅かに漏水しても、蛇口が漏水することなく正常に使用できることが確保される。
【００５８】
本実施例に記載のような接続管３０を利用すれば、蛇口本体を取り付ける又は取り替える場合、補助部材２５及び分配器４０を利用する必要がなくなり、直接接続管３０をねじ込めればよい点で、上記各実施例と異なっている。
【００５９】
上記は本発明の好ましい実施例に過ぎず、本発明を制限するためのものではなく、本発明の精神及び原則においてなされたあらゆる変更、均等な置換、及び改良等は、本発明の保護範囲に含まれるはずである。
【符号の説明】
【００６０】
１０-蛇口本体
１１-出水端
１２-接続端
１３-第１の雌螺子
１４-熱水流路
１５-冷水流路
２０-管接手
２１-接手端
２２-第２の雌螺子
２３-間隔
２４-封止リング
２５-補助部材
２５１-第３の雄螺子
２５２-固定ブロック
２５３-挿通孔
２６-第１のチャンバー
２７-第２のチャンバー
２８-直筒段部
２９-曲角段部
３０-接続管
３１-第１の雄螺子
３２-第２の雄螺子
３３-フィルター
３４-大端部
３５-小端部
３６-環状ストリップ
２１１-環状階段
４０-分配器
４１-ねじ孔
【図１】
0006426282.tif 000002
【図２】
0006426282.tif 000003
【図３】
0006426282.tif 000004
【図４】
0006426282.tif 000005
【図５】
0006426282.tif 000006
【図６】
0006426282.tif 000007
【図７】
0006426282.tif 000008
【図８】
0006426282.tif 000009
【図９】
0006426282.tif 000010
【図１０】
0006426282.tif 000011
【図１１】
0006426282.tif 000012
【図１２】
0006426282.tif 000013